Podtech/llm-jp-corpus-v4-ja_patent huggingface dataset:
(57)【要約】      （修正有）【課題】電気エネルギー発電充電蓄電用靴中敷を提供する。【解決手段】電気エネルギー発電充電蓄電用靴中敷を歩行の圧力と足熱により発電充電蓄電させ、携帯電話の電池切れに充電アダプターにより充電をなし得、乾電池の充電による資源再利用も可能になる電気エネルギー発電充電蓄電用靴中敷である。【選択図】図１
0003147894.tif 000002
【実用新案登録請求の範囲】
【請求項１】
本案は電気エネルギー発電充電蓄電用靴中敷を歩行の圧力と足熱により発電充電蓄電させ、携帯電話の電池切れに充電器となし得、又乾電池の充電器になし得る電気エネルギー発電充電蓄電用靴中敷。
【考案の詳細な説明】
【技術分野】
【０００１】本案は上記のごとくして、１図に示すごとく、電気エネルギー発電充電蓄電用靴中敷１、及び電気エネルギー発電充電蓄電用靴中敷１、の先端部の充電蓄電用端子２、２図に示すごとく、携帯電話及び乾電池の充電用接続アダプター３及び充電蓄電用端子２、３図に示すごとく、携帯電話及び充電用接続アダプター３及び充電蓄電用端子２、４図に示すごとく、乾電池充電器５及び充電用接続アダプター３及び充電蓄電用端子２、の考案である。
【考案の開示】
【考案が解決しようとする課題】
【０００２】現代社会に於いて携帯電話は必需品であり、携帯電話の電池切れは緊急時には大変に困る問題であった、また乾電池の充電による資源再利用も欠かせないのであった。
【課題を解決するための手段】
【０００３】本案は電気エネルギー発電充電蓄電用靴中敷を歩行の圧力と足熱により発電充電蓄電させ、携帯電話の電池切れに充電アダプターにより充電をなし得、乾電池の充電による資源再利用も可能なる電気エネルギー発電充電蓄電用靴中敷の考案である。
【考案の効果】
【０００４】本案は、人間の歩行する時に発するエネルギーは通常は無意味に発散消滅するのであるが、トータル的には膨大なエネルギーである、本考案は電気エネルギー発電充電蓄電用靴中敷を歩行の圧力と足熱により発電充電蓄電させ、携帯電話の電池切れに充電アダプターにより充電し得る電気エネルギー発電充電蓄電用靴中敷の考案であり、乾電池の充電による資源再利用も可能なる電気エネルギー発電充電蓄電用靴中敷の考案である。然も発電による環境を侵す問題が全く無いクリーンエネルギーを確保できるので地球温暖化を防げる効果があるばかりでなく、無資源国にとって大きな効果を生む電気エネルギー発電充電蓄電用靴中敷として、その益する所甚だ大である。
【図面の簡単な説明】
【０００５】
【図１】電気エネルギー発電充電蓄電用靴中敷及び電気エネルギー発電充電蓄電用靴中敷の先端部の充電蓄電用端子図
【図２】携帯電話及び乾電池の充電用接続アダプター及び充電蓄電用端子図
【図３】携帯電話及び充電用接続アダプター及び充電蓄電用端子図
【図４】乾電池充電器及び充電用接続アダプター及び充電蓄電用端子図
【符号の説明】
【０００６】１．    電気エネルギー発電充電蓄電用靴中敷
２．    電気エネルギー発電充電蓄電用靴中敷の先端部の充電蓄電用端子
３．    携帯電話及び乾電池の充電用接続アダプター
４．    携帯電話
５．    乾電池充電器
【図１】
0003147894.tif 000003
【図２】
0003147894.tif 000004
【図３】
0003147894.tif 000005
【図４】
0003147894.tif 000006
【手続補正書】
【提出日】平成20年10月2日(2008.10.2)
【手続補正１】
【補正対象書類名】実用新案登録請求の範囲
【補正対象項目名】全文
【補正方法】変更
【補正の内容】
【実用新案登録請求の範囲】
【請求項１】
歩行の圧力と足熱を継続することにより発電をなす発電手段を備える、電気エネルギー発電靴中敷であり、電気エネルギー発電靴中敷と先端部の充電蓄電用端子との組合せによる電気エネルギー発電充電蓄電用靴中敷。
(57)【要約】【課題】  使用する濾材が少量で足りる使用済油精製装置を提供すること。【解決手段】  底部が液通可能に構成された凹部を底面に有する上部開口状の上容器と、上容器に嵌合する上部開口状の下容器とからなり、上容器の底面の凹部に濾材を配置することで、上容器の上方から注ぎ込んだ使用済油を濾過し、自然落下した精製油を下容器に回収するようにしたことを特徴とする。【選択図】  図１
0003147858.tif 000002
【実用新案登録請求の範囲】
【請求項１】
底部が液通可能に構成された凹部を底面に有する上部開口状の上容器と、上容器に嵌合する上部開口状の下容器とからなり、上容器の底面の凹部に濾材を配置することで、上容器の上方から注ぎ込んだ使用済油を濾過し、自然落下した精製油を下容器に回収するようにしたことを特徴とする使用済油精製装置。
【考案の詳細な説明】
【技術分野】
【０００１】
本考案は、使用する濾材が少量で足りる使用済油精製装置に関する。
【背景技術】
【０００２】
例えば天ぷらやフライなどの揚げ物加工に使用される食用油は、繰返し使用すると、次第に劣化して酸化されたり、着色したりする。このため、使用済食用油を、活性炭、活性白土、珪藻土などからなる濾材で濾過することで、その精製を行い、使用耐久性を向上させることが広く行われており、例えば使用済油精製装置の１つとして、底面全体に多数のパンチング孔が設けられた上部開口状の上容器と、上容器に嵌合する上部開口状の下容器とからなり、上容器の底面全体にわたって濾材を袋詰めしたものを配置することで、上容器の上方から注ぎ込んだ使用済油を濾過し、自然落下した精製油を下容器に回収するようにしたものが知られている。
【考案の開示】
【考案が解決しようとする課題】
【０００３】
上記のような使用済油精製装置は、簡易な構成で効率よく使用済油の精製が行える点で優れているが、袋詰めされた濾材が上容器の底面全体にわたって必要であることから、濾材の使用量が多い点で改良の余地があった。
そこで本考案は、使用する濾材が少量で足りる使用済油精製装置を提供することを目的とする。
【課題を解決するための手段】
【０００４】
上記の点に鑑みてなされた本考案の使用済油精製装置は、請求項１記載の通り、底部が液通可能に構成された凹部を底面に有する上部開口状の上容器と、上容器に嵌合する上部開口状の下容器とからなり、上容器の底面の凹部に濾材を配置することで、上容器の上方から注ぎ込んだ使用済油を濾過し、自然落下した精製油を下容器に回収するようにしたことを特徴とする。
【考案の効果】
【０００５】
本考案の使用済油精製装置は、上容器の底面に設けた底部が液通可能に構成された凹部に濾材を配置して使用済油の精製を行うので、使用する濾材が少量で足りる。
【考案を実施するための最良の形態】
【０００６】
以下、本考案の使用済油精製装置を図面に基づいて説明するが、本考案の使用済油精製装置は以下の記載に限定して解釈されるものではない。
【０００７】
図１は、本考案の使用済油精製装置の一実施形態の分解断面図であり、図２はその使用態様の一例の断面図である。この使用済油精製装置１は、ステンレス製であり、上部開口状の上容器２と、上容器に嵌合する上部開口状の下容器３とからなる。上容器２は、底部が多数のパンチング孔が設けられていることで液通可能に構成された凹部４をその底面に有している（凹部４の底部自体が金網でできていてもよい）。この使用済油精製装置１を使用する際には、凹部４にその形状に沿うように濾紙５を配し、濾紙５で形成される区画に濾材６（例えば活性炭、活性白土、珪藻土などからなる粉体や粒子の形態のものが挙げられる）を敷設して凹部４の窪みを濾材６で満たし、上容器２の上方から使用済油を注ぎ込んで濾材６で使用済油を濾過して精製する。濾材６の上面には、例えば多数のパンチング孔が設けられていることにより液通可能に構成された押え板７を配することが望ましい。濾材６の表面に押え板７を配することで、使用済油を上容器２に注ぎ込んだ際の濾材６の舞い上がりを効果的に防止することができる。また、濾材の種類によっては使用済油の精製時に気泡が発生する場合があり、こうした場合には気泡が使用済油中を上昇する際に濾材も一緒に舞い上がってしまう現象が起こるが、濾材６の表面に押え板７を配することで、このような現象を防止することもできる。さらに、図２に示したように濾紙５の端部を折り畳んで濾材６の表面を覆うようにすれば、使用済油中への濾材６の舞い上がりをより効果的に防止することができる。なお、使用済油の精製を行っている間は、上容器２の開口部を上蓋８で閉じて内部にゴミや異物が混入しないようにすることが望ましい。精製された油は、凹部４の底部のパンチング孔から自然落下して下容器３に貯留された後、回収される。なお、凹部４の底部と濾紙５との間に凹部４の底部を覆う大きさの濾紙を別途に配することで、濾紙５で形成された区画からこぼれ出た濾材が精製油とともに下容器３に落下することをより確実に防止することができる。使用済油の精製をこのようにして行うことで、上容器の底面全体にわたって袋詰めされた濾材が必要なこれまでに知られている使用済油精製装置よりも濾材の使用量を減らすことができる他、袋を使用しないのでその分だけ実施コストを下げることができるといった効果や、使用する濾材の量を自由に設定できるといった効果を得ることができる。また、濾材６の取替えは、濾紙５の両端部をつまんで凹部４から取り外すことによって容易に行うことができ、上容器１の洗浄も簡単である。
【０００８】
なお、上記の説明は、袋詰めしていない濾材を用いて使用済油の精製を行う場合のものであるが、凹部４の窪みに袋詰めした濾材を配置してもよい。この場合には、凹部４の底部から濾材が精製油とともに下容器３に落下することがないので、濾紙５はなくてもよい。また、押え板７が存在しなくても、使用済油を上容器２に注ぎ込んだ際などに濾材が舞い上がることがないので、押え板７はなくてもよい。
【産業上の利用可能性】
【０００９】
本考案は、使用する濾材が少量で足りる使用済油精製装置を提供することができる点において産業上の利用可能性を有する。
【図面の簡単な説明】
【００１０】
【図１】本考案の使用済油精製装置の一実施形態の分解断面図である。
【図２】同、使用態様の一例の断面図である。
【符号の説明】
【００１１】
１  使用済油精製装置
２  上容器
３  下容器
４  凹部
５  濾紙
６  濾材
７  押え板
８  上蓋
【図１】
0003147858.tif 000003
【図２】
0003147858.tif 000004
(57)【要約】      （修正有）【課題】水を無駄にすることなく、入れかえの手間もなく災害時に新鮮な水が確実に確保できる水確保容器を提供する。【解決手段】災害時の飲み水確保を目的としたシステムで屋敷内の水道管を長くして長くした部分を一ヶ所の箱におさめ、箱の上部からパイプを蛇行させた形で板状にして何段も積み重ねる形にして勾配をつけ、水の流れを良くしてこれらを一体化し上部の水の入り口の水道管と本管から来た水道管を立ち上げたつなぎ目に水を止めるバルブを設け、次に空気が取り入れられるよう開閉の出来る穴を設けて箱の下部の水の出口には蛇口を設け、この蛇口のすぐ下の所に本管に水が流れるのを止めるバルブを設置したことを特徴とする。【選択図】図１
0003147804.tif 000002
【実用新案登録請求の範囲】
【請求項１】
災害時の飲み水確保を目的としたシステムで屋敷内の水道管を長くして長くした部分を一ヶ所の箱におさめ箱の上部からパイプを蛇行させた形で板状にして何段も積み重ねる形にしてこうばいをつけ、水の流れを良くしてこれらを一体化し上部の水の入り口の水道管と本管から来た水道管を立ち上げたつなぎ目に水を止めるバルブを設け次に空気が取り入れられるよう開閉の出来る穴を設け箱の下部の水の出口には蛇口を設けこの蛇口のすぐ下の所に本管に水が流れるのを止めるバルブを設置したことを特長とした飲み水確保容器
【請求項２】
災害時に箱の中に確保した水を取り出す原理はまず下のバルブをしめ次に上のバルブをしめ水の流れるのをまず止め次に中の水を取り出す時上部の空気穴を開け下部の蛇口から必要な水を取り出すこの原理は上から下への水の流れのこうばいをつければカベの部分にも作ることが出来屋敷を回すことも可能、屋上を回すことも地下に作ることも可能であることを特長とした請求項１記載の飲み水確保容器。
【請求項３】
箱の中で蛇行する水道管は水もれ事故防止のため金形で一体化として作りつぎ目をなくし蛇行させた形で四角い盤にしこうばいをつけ何段も重ね水道管のかわりをすることを特長とした請求項１ないし２記載の飲み水確保容器。
【請求項４】
飲み水確保容器の内面に断熱材をほどこし又水道管バルブ蛇口すべて断熱材でおおい容器のふたは雨水の入らないようかぶせぶたとすることを特長とした請求項１ないし３のいずれかに記載の飲み水確保容器。
【請求項５】
飲み水確保容器保護と下部の蛇口より水を取り出すための高さ確保のため容器の１／３ほどが入る箱を作り入れ必要に応じ台を設けることを特長とした請求項１ないし４のいずれかに記載の飲み水確保容器。
【請求項６】
容器の中の水道管の形の水路は本管より太くしつなぎ目はラッパ形とすることを特長とした請求項１ないし５のいずれかに記載の飲み水確保容器
【考案の詳細な説明】
【技術分野】
【０００１】  災害時の水の確保に関する分野
【背景技術】
【０００２】  災害時に一番の必要はまず水であるこれにそなえ日頃水を汲み置きに心がけて常に入れかえている。その時いつも容器をも洗っている。しかし忘れることも多くいざ災害が起きた時飲み水としてのめるか心配であった。又水を捨てることも多くいつももったいないと思っていた。
【考案の開示】
【０００３】  水を無駄にすることをなくしたい、時々の水の入れ替えの手間をはぶきたい水の入れかえをしなければいざという時に飲み水にはならないとなやんでいた。
【考案が解決しようとする課題】
【０００４】  水を無駄にすることなく、入れかえの手間もなく災害時に新鮮な水が確実に確保出来る方法はないものかと考へた。
【課題を解決するための手段】
【０００５】  屋敷内の水道管を長くして長くした部分を一ヶ所の箱の中におさめ、箱の上部から水道管を蛇行させた形で板状に四角くしてこれを何段も作り積み重ねる形にしてこうばいをつけ水の流を良くしこれらの水道管を一体化した形としこの部分にて災害時の水確保をと考へた
【０００６】  本管の水道管を箱の上部に立ち上げ箱の中からの管とつなぐ。つないだ所に水を止めることの出来るバルブをつけ箱の中の管の方には空気を取り入れることの出来る開閉の出来る穴を設けた。この穴の栓はチヨウチヨねじとし紛失しないようくさりを設けた。
【０００７】  箱の下部の水の出口には蛇口をつける。災害時の蛇口となる。なお普段もこの蛇口は利用出来るこの蛇口のすぐ下には本管に行く水を止めるバルブを設ける。
【０００８】  原理は少し長い水道管を流れている水を普段は使っていて災害がおきた時箱の下部のバルブをしめ次に上部のバルブをしめ箱の中の水を確保した事となる
【０００９】  容器の水を取り出す時は上部の空気穴のチヨウチヨねじを取りされば水は下の蛇口から取り出せる。この蛇口は普段も普通に利用出来る。
【考案の効果】
【００１０】  水道管を長くしてこの部分の水を災害時に利用するこの原理は高い方から低い方へ流れる水の力を利用するため、こうばいと空気穴と蛇口を設けられれば壁の中でも設置出来細い通路にも設置出来る又屋敷を回すことも屋上を回すことも出来る
【考案を実施するための最良の形態】
【００１１】  入れかえる時の水の無駄もなく、手間もなく忘れることもなく確実に災害時に水の確保が出来わかすこともなく飲み水として利用出来ることは安心である。
【産業上の利用可能性】
【００１２】  水道管を１８０°曲げることは無理なので管をつなぐつなぎ管でつなぐことになるが水もれの心配もあり手間もかかるので水道管を蛇行させた形で半分ずつ作り合せて一体化して作ることとする。【００１３】  大きい金形はいるがあとは空気穴の部分の器具を作れば特別の物はなく大量に作れば値段はそれほど高くはならない。
ポリ容器１つ分か２つ分確保を目やすとします。【００１４】  病院などは大きいのが必要と考へる
【実施例】  災害時の水確保ということは知られたくありません
図面も公開されたくありません
【図面の簡単な説明】
【図１】箱形の全体図
【図２】空気穴のチヨウヨバルブ
【図３】カベの中用水確保
【図４】細長い通路用地下水確保容器
【符号の説明】
（１Ａ）  水道の本管水入口
（１Ｂ）  箱の中の災害時の水確保部分
（１Ｃ）  水の出口の水道管
（２）  水を止める器具・バルブ
（３）  空気を入れる穴を開閉するチヨウチヨねじ
（４）  チヨウチヨねじを取り空気を入れた時紛失防止のクサリ
（５）  普通の蛇口
（６）  容器を補護する箱
（７）  容器全体
（８）  かぶせぶた
（９）  空気穴
（１０）  カベの中の水確保容器
（１１）  地下深くほった水取り出し場
（１２）  水を取り出す時に必要の高さを作る台
（１３）  断熱材
（１４）  地下の設備箱のフタ
（１５）  地下の設備箱
【図１】
0003147804.tif 000003
【図２】
0003147804.tif 000004
【図３】
0003147804.tif 000005
【図４】
0003147804.tif 000006
(57)【要約】      （修正有）【課題】初心者が使用する場合と習熟者が使用する場合のボールキャスターの取り付けを変えることによって、初心者、習熟者の双方に使用できる運道具を提供する。【解決手段】円形又は多角形の足踏み板１００であって、その足踏み板の底の中央部に、半球形の凹部１を設けてバランスボード運動具を構成する。また、その足踏み板には、ボールキャスター２００を取り付けるボルト孔を開け、そのボルト孔にボルト２とナット３でボールキャスターを載設しても良い。【選択図】図６
0003147810.tif 000002
【実用新案登録請求の範囲】
【請求項１】
円形又は多角形の足踏み板であって、その足踏み板の底の中央部に、半球形の凹部を設けることを特徴したバランスボード運道具。
【請求項２】
さらに、その足踏み板には、ボールキャスターを取り付けるボルト孔を有し、そのボルト孔にボルトとナットでボールキャスターを載設することを特徴とする請求項１のバランスボード運道具。
【考案の詳細な説明】
【技術分野】
【０００１】  本考案は、足踏み板の底に不安定動揺性を生じさせる球部を装着したバランス運動具に関するものであるに関する。
【技術背景】
【０００２】  従来より、不安定動揺性を生じさせる運道具としては、球形をしたバランスボールなどがあったが、最初からこの球形のバランスボールの運道具を使用するのは難しかった。
【０００３】  また、それ以外でも、長方形や多角形のボードに半球部を取り付けた運道具などもあった。
【考案の開示】
【考案が解決しようとする課題】
【０００４】  これは次のような欠点があった。
初心者や熟練度の低い者が従来の球形バランスボードに乗る際に回転してしまう危険性があった。【０００５】  また、従来のボード式バランス運道具は、最初の乗り始めに、ボードが移動するため、初心者は、滑るなどの危険性があった。
本考案は、以上の欠点を解決するために考案されたものである。
【課題を解決するための手段】
【０００６】  本考案のバランスボード運道具は、初心者のときも、熟練者の人も、一台の運動具で使用できるように、下記のような方法で課題を解決したことを特徴とする。【０００７】  まず、足踏み板（ボード）１００の底の中央部に、半球形の凹部を設けることを特徴とする。
初心者の場合は、図５に示すように、ボールキャスター２００のボールキャスター球２００−３をこの半球形の凹部１に載置して使用する。このような、状態で使用すると、初心者の人も滑ることなく使用できる。【０００８】  次に、或る程度このバランスボード運道具に馴れてくると、図６に示すように、足踏み板（ボード）の底に、ボールキャスター２００をボルト２とナット３によって締め付けて使用する。
【考案の効果】
【０００９】  一枚の足踏み板（ボード）１００と、１個のボールキャスター２００で、初心者の人も、習熟者の人も充分にバランス運動が可能。【００１０】  足踏み板（ボード）１００の中央部に半球形の凹部１を設け、ボールキャスター２００のボールキャスター球２００−３の上に載置して使用することにより、ボールキャスター２００のキャスタープレートテーブル２００−１が滑り止めの役割を果たし、初心者でも滑ることなく、運動が可能になる。
【考案を実施する最良の形態】
以下、実施例について説明する。
【実施例１】
【００１１】  図５に示すように、足踏み板（ボード）１００の中央部に半球形の凹部１を加工する。【００１２】  図３のボールキャスター２００のボルト孔２００−４に合わせて、足踏み板（ボード）１００にボルト孔を空ける。
【実施例２】
【００１３】  初心者の場合は、図５に示すように、ボールキャスター２００を上に向け、足踏み板（ボード）１００の中央部に加工された半球形の凹部１にボールキャスター球２００−３を係合させて載置する。このことによって、キャスタープレートテーブル２００−１が滑り止めの役割を果たし、初心者でも滑ることなく、運動が可能になる。
【実施例３】
【００１４】  次に、少し、馴れてきたら、図６に示すように、ボールキャスター２００を下向きに、足踏み板（ボード）１００に、ボルト２とナット３で締め付けて支持する。
この場合、動揺性が難度になるため、次の実施例４のような、補助具３００を利用すると、バランス運動が容易に出来るようになる。
【実施例４】
【００１５】  図７，図８は、足踏み板（ボード）１００に、ボールキャスター２００を下向きにボルト２とナット３で取り付けた場合、最初の頃は、キャスターのボールキャスター球２００−３が滑るので、この補助具３００を使用すると、危険が回避される。
【図面の簡単な説明】
【００１６】
【図１】本考案の平面図
【図２】本考案の底面図
【図３】ボールキャスター平面図
【図４】ボールキャスター側面図
【図５】ホールキャスターにボード板を載置した図
【図６】ボード板にボールキャスターをボルトとナットで載設した図
【図７】スタンド補助具と本考案のバランスボード運道具の配置した図
【図８】スタンド補助具の側面図
【符号の説明】
【００１７】１００．足踏み板（ボード板）
２００．ボールキャスター
３００．スタンド補助具
２００−１．キャスタープレートテーブル
２００−２．キャスタースペースカラー
２００−３．ボールキャスター球
２００−４．ボルト孔
３００−１．掴まり手摺
３００−２．脚
３００−３．キャスター
１．ボード板半凹部
２．ボルト
３．ナット
【図１】
0003147810.tif 000003
【図２】
0003147810.tif 000004
【図３】
0003147810.tif 000005
【図４】
0003147810.tif 000006
【図５】
0003147810.tif 000007
【図６】
0003147810.tif 000008
【図７】
0003147810.tif 000009
【図８】
0003147810.tif 000010
(57)【要約】      （修正有）【課題】竹踏みの材質として、弾力性を備えたクッション体を用い、踏み心地がソフトに改善される竹踏みを提供する。【解決手段】竹踏み本体１の材質として、弾力性を備えた硬質エバスポンジ等のクッション体を用い、そのクッション体の表面に、いぐさ２を接着することにより、竹踏みを踏んだ際の踏み心地をソフトに改善する。更に、本体周辺に畳のへりの生地で縁取り３をすることにより、いぐさと共に癒しの効果を得る。【選択図】図１
0003147802.tif 000002
【実用新案登録請求の範囲】
【請求項１】
材質として、弾力性を備えた硬質エバスポンジ等のクッション体を用いた竹踏み。
【請求項２】
材質として、弾力性を備えた硬質エバスポンジ等のクッション体を用いた竹踏みの表面に、いぐさを接着した竹踏み。
【考案の詳細な説明】
【技術分野】
【０００１】本考案は、竹踏みの材質として、弾力性を備えたクッション体を用い、更にそのクッション体の表面にいぐさを接着した竹踏みに関するものである。
【背景技術】
【０００２】従来の竹踏みは材質が竹であるため硬く、竹を踏む際、往々にして痛みを感じることがあった。
【考案の開示】
【考案が解決しようとする課題】
【０００３】竹を踏むことにより足裏のツボを刺激する際、痛みを感じる人が多いと思われる。一般に痛い方が効果があるように思われがちであるが、足裏の腎臓のツボの過剰な刺激は腰痛を引き起こすと言われている。そして、踏む度に痛みを我慢しなければならないとなると継続が困難になってくる。痛みを感じる程ではなく、適量の刺激を与える程度に踏み心地が改善されることが望ましい。従って、竹踏みの材質として、弾力性を備えたクッション体を用い、そのクッション体の表面にいぐさを接着することにより、踏み心地がソフトに改善されることになり、前述の欠点を解決しようとするものである。
【課題を解決するための手段】
【０００４】本考案は、竹踏みの材質として、弾力性を備えた硬質エバスポンジ等のクッション体を用い、更にそのクッション体の表面にいぐさを接着することにより、竹踏み本体の踏み心地をソフトにし、問題点を解決している。
【考案の効果】
【０００５】上述のように、本考案のソフト竹踏みは、竹踏みの材質に弾力性を備えたクッション体を用い、クッション体の表面にいぐさを接着することにより、踏み心地が改善され、足裏のツボを刺激する際の痛みを和らげることに役立つ。更に、竹踏み本体周辺に畳のへりの生地で縁取りをすることにより見た目にも畳を感じるようにし、いぐさと共に癒しの効果を得ることにも役立つ。そして、硬い材質の竹踏みが苦手な人も無理なく竹踏みを継続することに役立つ。
【考案を実施するための最良の形態】
【０００６】竹踏み本体の材質として、あまり柔らか過ぎずやや弾力性を帯びた硬質エバスポンジ等のクッション体を用いる。竹踏み本体の丸みは踏み心地に影響するが、自然のままの竹では調整できない部分である。本竹踏みでは丸みを考慮し足裏にフィットしやすくする。その竹踏みの表面にいぐさを接着する。竹踏み本体の周辺に畳のへりの生地で縁取りをする。以上により、竹踏みの踏み心地がソフトに改善され、踏む際の痛みも和らぎ、癒しの効果も併せ持つ。
【実施例】
【０００７】以下、添付図面に従って一実施例を説明する。１の弾力性を備えたクッション体である硬質エバスポンジ等を材質とする竹踏み本体の表面に、２のいぐさを接着し、更に３の畳のへりの生地による縁取りを２のいぐさの周囲に接着する。以上の竹踏み本体を足で踏むことにより足裏のツボを刺激する際、踏み心地が改善される。
【図面の簡単な説明】
【０００８】
【図１】  本竹踏みの全体像を表す立体図である。
【図２】  本竹踏みの側面図である。
【図３】  本竹踏みの断面図である。
【符号の説明】
【０００９】１  竹踏み本体
２  いぐさ
３  縁取り
【図１】
0003147802.tif 000003
【図２】
0003147802.tif 000004
【図３】
0003147802.tif 000005
(57)【要約】      （修正有）【課題】紙をめくることを楽にした、新聞あるいは冊子等の角隅切断冊子及び角隅切断用紙帳を提供する。【解決手段】新聞あるいは冊子等の折り重ね書類の開き側の上下角のページを、順に互い違いに斜め切断して角隅を落し、その斜縁に明瞭な線αを付着させて冊子等を構成する。【選択図】図１
0003147466.tif 000002
【実用新案登録請求の範囲】
【請求項１】
冊子並びに，朝刊又は夕刊などの新聞及びその類似形式に頼る折り重ね書類の開き側の上下角のページ順互い違いに斜めに切断し，角隅を落としその斜縁に明瞭線を付着させることを施した無字冊子及び有字冊子並びに，新聞及びその類似形式に頼る折り重ね書類。
【考案の詳細な説明】
【技術分野】
【０００１】  本考案は，冊子並びに，朝刊又は夕刊などの新聞及びその類似形式に頼る折り重ね書類のページを繰ったり，紙をめくることを楽にするためのことに関することである。
【背景技術】
【０００２】  ページを繰ったり，紙をめくる際指を口に入れて唾液を付けたり，角隅をまとめて数枚折り曲げたりして用を足していた。
【考案の開示】
【考案が解決しようとする課題】
【０００３】  指を口に入れたり，角隅を折ったりすることは細菌感染による病気や精神的苦痛による病を気にせずにはいられないだけでなく，物事体も破損する。だが，この考案により，その心配がない。
【課題を解決するための手段】
【０００４】  ページを繰ったり，紙をめくる部分に強く接解することなく楽。
【考案の効果】
【０００５】  書いてある内容に集中できる。又メモ用紙の場合忘れることなく連続書き留め可能。
【考案の実施するための最良の形態】
【０００６】  二等辺直角三角形で切り取るのが最良。
【実施例】
【０００７】  以下，添付図面に従って一実施例を示す。但し極めて枚数の少ない冊子を示した。
【図面の簡単な説明】
【０００８】
【図１】本考案のメモ帳を例にしたもので，数字はメモ帳の便宜的なページ番号。記号αは二等辺直角三角形を切り取った部分で，明瞭な線を施す。
【図２】一枚ずつ取り並べたもので，数字は図１と同じページ番号。αは切断した部分の切り口。βは切り離した二等辺直角三角形。明瞭なラインは両面入れる。二つの黒点はＦとしたが綴じる部分。なくて折り込んだものも同様。
【符号の説明】
【０００９】１  便宜的なページ番号
２  便宜的なページ番号
４  便宜的なページ番号
α  切り口
β  切り落とす二等辺三角形。
【図１】
0003147466.tif 000003
【図２】
0003147466.tif 000004
(57)【要約】      （修正有）【課題】カチューシャを活用してサンバイザー帽子として利用でき、又クラウン部分を取付けることで、頭部天井部にも直射日光が当たらないようにすることができる多用途サンバイザー帽子を提供する。【解決手段】サンバイザー帽子１のバー部分の先端部に向かう中程に袋状のポケットをバー部分両サイドに設ける。布帛等で出来たクラウン５の端下部分をカチューシャ４のバー部分両サイドの先端を除く長さの部分を袋状に縫いつける。この袋状部分にカチューシャを挿入し、これをサンバイザー帽子のバー部分の上に重ね合わせサンバイザー帽子のバー部分両サイドに設けた袋状のポケット部分にカチューシャのバー部分両サイドの先端を差し込み、サンバイザー帽子に帽子のクラウン部分を合体させて構成する。【選択図】図１
0003147465.tif 000002
【実用新案登録請求の範囲】
【請求項１】
サンバイザー帽子のバー部分の先端部に向かう中程に袋状のポケットをバー部分両サイドに設けたことを特徴とするサンバイザー帽子。
【請求項２】
布帛等で出来たクラウン（図４）の端下部分をカチューシャ（図５）のバー部分両サイドの先端を除く長さの部分を袋状に縫い、この袋状部分にカチューシャを挿入しこれを請求項１を特徴とするサンバイザー帽子のバー部分の上に重ね合わせサンバイザー帽子のバー部分両サイドに設けた袋状のポケット部分にカチューシャのバー部分両サイドの先端を差し込むことを特徴とした布帛等で出来たクラウン付きカチューシャである。
【考案の詳細な説明】
【技術分野】
【０００１】サンバイザー帽子のバー部分中程に袋状のポケットを設け、布帛等のクラウンの端下部分に内蔵したカチューシャのバーの両端をサンバイザー帽子に設けた袋状のポケットに差し込むことによって一体化できる。
【背景技術】
【０００２】サンバイザー帽子だけでは夏の暑さに対応できない。
【考案の開示】
【考案が解決しようとする課題】
【０００３】サンバイザー帽子は頭部天井部に覆いが無く頭部に直射日光が当たる。
【課題を解決する為の手段】
【０００４】布帛等でできたクラウンに内蔵されたカチューシャのバー部分とサンバイザー帽子のバー部分を重ね合わせサンバイザー帽子のバー部分に設けた袋状のポケットにクラウンに内蔵されたカチューシャのバー部分の両端を差し込むことによって頭部天井部が覆われて直射日光を避けることが出来る。
【考案の効果】
【０００５】サンバイザー帽子として利用でき、又取付することによって頭部天井部も直射日光が当たらないようになる。
【考案を実施する為の最良の形態】
【０００６】図面によって説明する。
図２及び図３はサンバイザー帽子である。
図４のクラウン部分の端下部分を袋状にし図５のカチューシャのバー部分の両先端が露出するように挿入する。
図２及び図３のサンバイザー帽子のバーに設けた袋状のポケット図２の符号２及び３にクラウン部分に挿入されたカチューシャのバーの露出部分を差込すれば図１のようになる。
【実施例】
【産業上の利用可能性】
【０００７】脱着が可能な為屋外での作業で必要に応じて使い分けが出来る。
【図面の簡単な説明】
【０００８】
【図１】サンバイザー帽子とカチューシャ内蔵のクラウンが合体した図
【図２】サンバイザー帽子を左側面から見た図
【図３】サンバイザー帽子を右側面から見た図
【図４】クラウン部分
【図５】クラウンの端下部分に挿入するカチューシャ
【符号の説明】
１    サンバイザー帽子の庇の部分
２    サンバイザー帽子のバー部分に設けた袋状のポケット
３    サンバイザー帽子のバー部分に設けた袋状のポケット
４    カチューシャ及びクラウンに内蔵されたカチューシャ
５    クラウン部分
【図１】
0003147465.tif 000003
【図２】
0003147465.tif 000004
【図３】
0003147465.tif 000005
【図４】
0003147465.tif 000006
【図５】
0003147465.tif 000007
【手続補正書】
【提出日】平成20年9月27日(2008.9.27)
【手続補正１】
【補正対象書類名】実用新案登録請求の範囲
【補正対象項目名】請求項２
【補正方法】変更
【補正の内容】
【請求項２】
布帛等で出来たクラウンの端下部分をカチューシャのバー部分両サイドの先端を除く長さの部分を袋状に縫い、この袋状部分にカチューシャを挿入し、これを請求項１に記載されたサンバイザー帽子のバー部分の上に重ね合わせサンバイザー帽子のバー部分両サイドに設けた袋状のポケット部分にカチューシャのバー部分両サイドの先端を差し込むことを特徴とした布帛等で出来たクラウン付カチューシャ。
(57)【要約】      （修正有）【課題】トンネル貫通石を利用したファッション性のある携帯電話ストラップを提供する。【解決手段】小さく砕いたトンネル貫通石１の周りを、透明なアクリル製樹脂２で固めて覆う。これにより石の磨耗を防ぐと共に、ファッション性も向上し、オシャレなアクセサリーとして美観上も楽しめる携帯ストラップ３となる。（貫通石は中心に固定する）覆う樹脂の形は四角、楕円など、携帯電話への接続部分は、根付紐、マツバ型の紐など、組み合わせによって様々なバリエーションが考えられる。【選択図】図１
0003147464.tif 000002
【実用新案登録請求の範囲】
【請求項１】
トンネルの最後の発破地点（貫通点）で採取され、古くから安産や受験合格のお守りとして珍重されているトンネル貫通石を携帯電話用ストラップ本体の一部に取り付け、アクセサリー感覚で持ち歩けることを特徴とする携帯電話ストラップ。
【考案の詳細な説明】
【考案の詳細な説明】
【０００１】この発明は、トンネルの最後の発破地点（貫通点）で採取され、古くから安産や受験合格のお守りとして珍重されているトンネル貫通石を、最近多くの人が常時携帯する携帯電話のストラップに取り付けようとするものである。
従来のトンネル貫通石は購入後、大きなものは部屋に飾り、小さなものは財布の中に入れたり家の机の引き出し等にしまって保管していることがほとんどである。しかし部屋に飾れば次第に埃をかぶり、邪魔になり押入れ等に片付けてしまう。また、財布に入れればかさばり不便である。さらに机の引き出し等にしまってしまえば、そのまま忘れてしまったりなくしてしまう事が常で、折角のご利益を活かしきれない。
本考案は、従来の観念を全く変えた物であり、最近ほとんどの人が常に携帯している携帯電話の、常に目の届くストラップにトンネル貫通石を取り付けることにより、その思いを忘れず祈願成就等を願う物である。特に合格祈願等、目的を持って祈願する物に対しては本人の努力と精進はかかせない物であるため、常に目に付くところに其れがあるだけで自分自身を律する事が出来る。
本考案は、図１のような構造であるため、かさばらずとてもオシャレであるので若い人からお年寄りまで幅広い利用者が期待できる。また、貫通石が違和感無く小型化出来、生産コストがさがる。尚、常に携帯電話と一緒に視界の中にあり、祈願発心したことを忘れず目標達成を成し遂げる事の手助けとなる。
ただ、トンネル貫通石は堅く、形状がゴツゴツしている為、そのままストラップに取り付けるだけでは、携帯電話の外装や画面等を傷つけてしまう。同時に石そのものも磨耗して次第に小さくなってしまい、持ち運びにも不便である。また、カバン等に入れて持ち運ぶ際に、カバンの中が磨耗した石の粉で汚れてしまう。またファッション性にも欠け、見た目も良くない。そこで図２のように、小さく砕いたトンネル貫通石の周りを、透明なアクリル製樹脂で固めて覆う。これにより石の磨耗を防ぐと共に、ファッション性も向上し、オシャレなアクセサリーとして美観上も楽しめる携帯ストラップとなる。（貫通石は中心に固定する）覆う樹脂の形は四角、楕円など、携帯電話への接続部分は、根付紐、マツバ型の紐など、組み合わせによって様々なバリエーションが考えられる。
【図面の簡単な説明】
【図１】本考案の斜視図である。
【図２】本考案の貫通石部分の拡大図である。
【図３】本考案のバリエーションである。
【符号の説明】
▲１▼  トンネル貫通石
▲２▼  透明なアクリル製樹脂
▲３▼  携帯電話への接続器具（ストラップ類）
【図１】
0003147464.tif 000003
【図２】
0003147464.tif 000004
【図３】
0003147464.tif 000005
(57)【要約】      （修正有）【課題】外出時の帽子装着で風などで帽子が飛ばされる事がなく、又他の帽子にも簡単に取り付けることが出来る、バネ付きクリップを活用した帽子と髪の毛を結ぶ器具を提供する。【解決手段】バネ付き櫛２にバネ付き四角形板状クリップ５を連結し、帽子の汗取りテープにバネ付き四角形板状クリップを固定し、バネ付き四角形板状クリップに連結されたバネ付き櫛を髪に固定して、帽子留めを構成する。【選択図】図１
0003147461.tif 000002
【実用新案登録請求の範囲】
【請求項１】
バネ付き櫛（図３）にバネ付き四角形板状のクリップ（図５）を連結し帽子の汗取りテープにバネ付き四角形板状クリップを装着し、バネ付き櫛を髪に装着出来る、脱着可能な帽子の留め具
【請求項２】
バネ付き櫛（図３）部分とバネ付き四角形板状クリップ（図５）部分が同時に締まらないようにバネ付き櫛（図３）部分とバネ付き四角形板状クリップ（図５）部分の連結部（図４）部分の巾を、連結されるバネ付き櫛（図３）部分やバネ付き四角形板状クリップ（図５）部分の横巾より細く設けた脱着可能な帽子のとめ具
【考案の詳細な説明】
【技術分野】
【０００１】本考案は外出の際かぶった帽子が風などで飛ばされないように帽子と髪の毛をつなぐ帽子留めである。
【背景技術】
【０００２】バネ付き櫛とバネ付き四角形板状クリップを繋ぎバネ付き四角形板状クリッップを帽子に装着する。
【考案の開示】
【考案が解決しようとする課題】
【０００３】手持ちの帽子に簡単に取り付け又、簡単に取りはずしが出来る。
【課題を解決する為の手段】
【０００４】バネ付き櫛にバネ付き四角形板状クリップを連結し、帽子の汗取りテープにバネ付き四角形板状クリップを固定しバネ付き四角形板状クリップに連結されたバネ付き櫛を髪に固定すれば帽子をかぶって外出した時、風で帽子が飛ばなくなる。
【考案の効果】
【０００５】この製品を付けることによって風の強い日も安心して帽子を被って外出できる。
【考案を実施する為の最良の形態】
【０００６】図１の装着前の状態
【実施例】
【産業上の利用可能性】
【０００７】作業用帽子など屋外でかぶる時帽子が飛ばされ無い。
【図面の簡単な説明】
【０００８】
【図１】全体を表面から見た図
【図２】全体を裏面から見た図
【図３】バネ付き櫛部分の図
【図４】バネ付き櫛部分とバネ付き四角形板状クリップの連結部
【図５】バネ付き四角形板状クリップ部分の図
【図６】全体を表面左側から見た図
【図７】全体が指などで押し固定された状態図
【図８】帽子の汗取り部分に装着した図
【符号の説明】
１    バネ付き櫛部分のバネ受
２    バネ付き櫛部分の櫛
３    バネ付き櫛部分とバネ付き四角形板状クリップ連結部
４    バネ付き四角形板状クリップのバネ
５    バネ付き四角形板状クリップ部分の四角形板状クリップ
６    帽子の汗取りテープ部分
７    帽子の庇部分
【図１】
0003147461.tif 000003
【図２】
0003147461.tif 000004
【図３】
0003147461.tif 000005
【図４】
0003147461.tif 000006
【図５】
0003147461.tif 000007
【図６】
0003147461.tif 000008
【図７】
0003147461.tif 000009
【図８】
0003147461.tif 000010
【手続補正書】
【提出日】平成20年9月27日(2008.9.27)
【手続補正１】
【補正対象書類名】実用新案登録請求の範囲
【補正対象項目名】全文
【補正方法】変更
【補正の内容】
【実用新案登録請求の範囲】
【請求項１】
バネ付き櫛にバネ付き四角形板状のクリップを連結し帽子の汗取りテープにバネ付き四角形板状クリップを装着し、バネ付き櫛を髪に装着できる、脱着可能な帽子の留め具。
【請求項２】
バネ付き櫛部分とバネ付き四角形板状クリップ部分が同時に締まらないようにバネ付き櫛部分とバネ付き四角形板状クリップ部分の連結部部分の巾を、連結されるバネ付き櫛部分やバネ付き四角形板状クリップ部分の横巾より細く設けた脱着可能な帽子の留め具。
(57)【要約】      （修正有）【課題】ハンドル中央に、パソコン、ＤＶＤ、小型テレビ、本等が置けるボックス、板等を取り付け、いすの改良をすることにより、長時間運動が出来る様にしたエアロバイク（登録商標）を提供する。【解決手段】本体のハンドルの中央部分に滑り止めの付いたパソコン、ＤＶＤ、小型テレビ、本等が置けるボックス、板等を設置し、今まで取り付けていた搭載メーターはボックス、板等の後ろ（奥）の見やすい位置に設置する。今までの堅くて小さいいすは、スポンジを入れ、幅を広くし、背もたれと取っ手を付けることにより、子供、年配者、身障者、一般の健常者などみんなが楽しく、遊びの感覚で健康維持、健康増進に役立つ。【選択図】図１
0003147470.tif 000002
【実用新案登録請求の範囲】
【請求項１】
ａ、床面に設置された左右側面に、一対のペダルを設けられた本体と
ｂ、前記本体の後側の上面に取り付けられた使用者が座るいすと
ｃ、前期本体の前側の上面に設置されたハンドル支柱と
ｄ、前記ハンドル支柱の先端に取り付けられた左右に分岐するハンドルと
ｅ、前記左右のハンドルの間に位置するように前記ハンドル支柱の先端に取り付けられた搭載メーターとを備えたエアロバイクであって
ｆ、前記左右のハンドル間であって、前記搭載メーターよりもいすの側に位置するように、前記ハンドル支柱の先端に取り付けられた水平の板状又は網状の素材からなるテーブルを備えたことを特徴とするエアロバイク
【請求項２】
前記テーブルの上面に滑り止め素材が設けられた請求項１に記載のエアロバイク
【考案の詳細な説明】
【技術分野】
【０００１】  本考案は、エアロバイクのハンドル部分に、滑り止めを付けたボックス、板等を結合し、いすを改良したマルチトレーニングが可能なエアロバイクである。
【背景技術】
【０００２】  エアロバイクは、健康維持、健康増進の健康器具という発想のみで造られ、ほかの用途が入る余地はなかった。
【考案の開示】
【考案が解決しょうとする課題】
【０００３】  エアロバイクは、特定のスポーツ選手だけが使用する器具ではなく、主に一般人で体力のない人が、この器具によって体力を付けよう、健康維持、健康増進をはかろうとの思いで、する機械であるが、今までのエアロバイクは単調な器具であり、座るいすも小さく堅く、毎日使用しょうという気にならない。
購入してもすぐに飽きてしまう。狭い家では、利用しないときには、じゃまな存在になっていた。これを解消するためハンドル部分に滑り止めを付けたボックス、板等を結合させ、いすも改良をすることにより、遊び感覚でパソコンや読書等が出来、長時間座ることが可能になり、前述の欠点を解決しようとするものである。
【課題を解決するための手段】
【０００４】  本考案は、エアロバイクはいすが堅く長時間座れない、毎日の運動が苦しい、楽しく運動が出来ないかという課題から、いすは長時間座っても疲れないように、座るいすにスポンジを入れ、小さく堅かったいすも横幅を広く取り、背もたれ、取っ手を付けることにより、年配者や、体の不自由な方が楽に、乗り降りが出来、また、ハンドル部分に、滑り止めの付いたボックス、板等を取り付ければ、この上にパソコン、ＤＶＤ、小型テレビ、本等が置けるため運動が楽しくなり、遊びながら健康増進が可能になる。
【考案の効果】
【０００５】  上述の様に、本考案は背もたれといすの改良を備えたことにより、長時間座ることができる。また、今までなかったボックス、板等を付けることにより、この上に、パソコン、ＤＶＤ、小型テレビ、本等が置け、楽しみながら運動が出来る。今までは、エアロバイクに乗ること自体苦痛であったのが、これを解消出来るのが最大の効果である。
【考案の実施するための最良の形態】
【０００６】  ハンドルの中央に、滑り止めの付いたボックス、板等を付け、この上にパソコン、ＤＶＤ、小型テレビ、本等が置けるようにする。また、以前ハンドルの中央部分に付いていた搭載メーターはボックス、板等の後ろ（奥）に置き、パソコンの蓋を立てた位置よりもやや上の見やすい位置に取り付ける。
いすは、スポンジを入れ、横幅を広め、背もたれ、取っ手を付けることにより長時間楽しみながら、健康維持が出来る。
【考案を実施するための最良の形態】
【０００７】  以下に、本発明の好適な実施形態について添付の図面を参照して詳細に説明する。図１は、本発明が適用されたトレーニング装置としてのエアロバイクの概略構図である。本体１は、床面に設置される。側面にペダルを有する。いす２は、本体の後側の上面に取り付けられた。使用者が座る。ハンドル支柱３は、本体の前側の上面に立設された。ハンドル４は、ハンドル支柱の先端に取り付けられた。左右に分枝した。搭載メーター５は、左右のハンドル間に設置。ハンドル支柱の先端に取り付けられた。テーブル、ボックス６は、左右のハンドル間に設置。搭載メーターのいす側に設置。水平の平板、ボックス、又は網状。取っ手７は、いすの左右に設置。背もたれ８は、いす後方に設置。ペダル９は、本体中央側面に設置。
【図面の簡単な説明】
【０００８】
【図１】本考案のパソコン、ＤＶＤ、小型テレビ、読書等ができるエアロバイクの正面図である。
【図２】真上から見た図面である。
【符号の説明】
【０００９】１  本体
２  いす
３  ハンドル支柱
４  ハンドル
５  搭載メーター
６  テーブル、ボックス
７  取っ手
８  背もたれ
９  ペダル
【図１】
0003147470.tif 000003
【図２】
0003147470.tif 000004
(57)【要約】      （修正有）【課題】リュックやショルダーバッグなど肩に掛けて背負う袋の荷重を分散させる器具をポケットに入れて携帯できるほど軽量・小型化した荷重分散器具を提供する。【解決手段】先端にフック状のものを付けた長さを調節出来る紐１、伸縮性のある網２、先端にフック状のものを付けた長さを調節出来る紐３、の３つを組み合わせただけの簡単な構成であるため丸めたり、たたんだりしてポケットに入れて携帯できる。しかも部品は全て簡単に入手できるもので構成されているので、低コストである。こうした特徴を備え、先端にフック状のものを付けた長さを調節出来る紐１をリュックの肩紐５に引っかけ、伸縮性のある網２でリュックの前面４を覆い先端にフック状のものを付けた長さを調節出来る紐３を腰のベルトあるいはズボンの腰の部分に引っかけて荷重を分散するのに役立つ。【選択図】図２
0003147468.tif 000002
【実用新案登録請求の範囲】
【請求項１】
伸縮性のある網の４端にフック状の器具を先端に付けた長さを調節できる紐を付け、片方の２本の紐をリュックやショルダーバッグなど肩に掛けて背負う袋の肩紐に固定し、残りの２本をズボンのベルトまたはズボンの腰の部分に掛けることで袋の荷重を分散する器具
【考案の詳細な説明】
【技術分野】
【０００１】本考案は部品点数が少なく軽量で不要時には小さく折りたたんでポケットに入れて携帯できるリュックなど肩に掛けて背負う袋の荷重を分散する器具に関するものである。
【背景技術】
【０００２】従来のリュックやショルダーバッグなどの荷重を分散する器具は大きく、不要時の携帯に不便で、生産コストもかかった。
【考案の開示】
【考案が解決しようとする課題】
【０００３】従来のものが携帯に不便で、生産コストがかかる点を解決しようとするものである。
【課題を解決するための手段】
【０００４】本考案は従来のものと比べ構造も単純で各部品が小さく、部品点数も少ないので携帯に便利である。また簡単に入手できる材料を使えるため、新たに部品を作る必要もなく生産コストも抑えられ、前述の欠点を解決できる。
【考案の効果】
【０００５】安価、軽量でポケットに入れて携帯できる荷重分散器具を提供できる。
【考案を実施するための最良の形態】
【０００６】本考案の４本の、長さを調節出来る紐のうち上側の本２本を肩紐のそれぞれにくぐらせるか直接フック状のもので固定する。伸縮性のある網で袋の前面を覆い、もう片方の２本の紐はリュックやランドセルなどの袋の底部に沿わせた後、背面と腰の間までまわしフック状のものをズボンのベルトあるいはズボンの腰の部分にかける。
【実施例】
【０００７】以下、添付図面に従って実施例を説明する。１は先端にフック状のものを付けた長さを調節出来る紐。２は伸縮性のある網。３も先端にフック状のものを付けた長さを調節出来る紐。４はリュックの前面。５はリュックの肩紐である。１をリュックやランドセルなどの袋の肩紐５に回すか直接フック状のもので固定する。伸縮性のある網２を前面４を覆いながら底部に沿わせた後、先端にフック状のものを付けた長さを調節できる紐３をリュックやランドセルなどの袋の背面と腰の間までまわしズボンのベルトあるいはズボンの腰の部分に引っかける。１及び３の長さを調節しリュックやランドセルなどの袋の荷重が適度にかかるようにして使用する。
【産業上の利用可能性】
【０００８】本考案は長さを調節出来る紐、フック、伸縮性のある網やリュックやショルダーバッグなどの袋類を製造する産業分野において有効である。
【図面の簡単な説明】
【０００９】
【図１】本考案のリュック・ショルダーバッグなど肩に掛けて背負う袋の荷重分散器具を広げて置いた状態を表している。
【図２】本考案をリュックに被せたところをリュックの斜め後方から見た図である。
【符号の説明】
１先端にフック状のものを付けた長さを調節出来る紐
２伸縮性のある網
３先端にフック状のものを付けた長さを調節出来る紐
４リュックの前面
５リュックの肩紐
【図１】
0003147468.tif 000003
【図２】
0003147468.tif 000004